(57)【特許請求の範囲】
【請求項１】
シート搬送路中にシートの搬送位置が検出せしめられるセンサを配設し、このセンサ出力に基づいてシートを搬送制御するシート処理装置において、
開口部を有するシートに対し、少なくともセンサの位置に対応したシート搬送方向に対する開口部の大きさを認識する開口部認識手段と、
この開口部認識手段からの情報に基づいて、シートの開口部に対応する位置に配置されたセンサの検出結果を開口部通過の間シート有りと判断するセンサ出力判断手段と、
このセンサ出力判断手段からの判断に基づいてシートを搬送制御するシート搬送制御手段とを備え、
前記センサ出力判断手段は、センサ位置情報を格納したセンサ情報格納部を有し、開口部認識手段からの開口部情報と対比することでシートの開口部に対応する位置に配置されたセンサを割り出すことを特徴とするシート処理装置。
【請求項２】
請求項１記載のシート処理装置において、
シートがシート束の表紙となるカバーシートであることを特徴とするシート処理装置。
【請求項３】
請求項１記載のシート処理装置において、
開口部認識手段は原稿画像を読み取るスキャナからなり、シートを読み取ることでシートの開口部位置及び大きさを認識することを特徴とするシート処理装置。
【請求項４】
請求項１記載のシート処理装置のうち、シートに画像が転写せしめられる画像形成部を備え、開口部を有するシートに対し画像を転写する態様のシート処理装置において、
画像形成部は、シートの開口部に対応する画像部位から画像部を消去する画像消去機能を備えていることを特徴とするシート処理装置。
【発明の詳細な説明】
【０００１】
【発明の属する技術分野】
本発明は、シートに画像を形成したり、画像形成後のシートに後処理を施す等、シートに対して処理を施すシート処理装置に係り、特に、パンチ孔や窓枠開口などの開口部を有するシートを処理する上で有効なシート処理装置に関する。
【０００２】
【従来の技術】
従来におけるシート処理装置としては、複写機やプリンタなどの画像形成装置、あるいは、画像形成装置に付設される後処理装置、あるいは、画像形成装置と後処理装置とを組み合わせたものなど各種の態様がある。
この種のシート処理装置においては、処理対象であるシートとして、普通紙以外に例えばパンチ孔付き用紙が使用される態様を配慮したものが既に知られている。
例えば用紙（記録紙）に孔があるか否かを認識し、外部より孔開き用紙を選択するようにした技術（例えば特開平９−１２１６６号公報）や、用紙のパンチ孔を検出し、パンチ孔付き用紙の場合にはパンチ孔部分に相当する部分だけ給紙タイミングを遅らせる技術（例えば特許第２６６０７４０号公報）などが既に提案されている。
一方、例えば用紙の搬送制御方式としては、シート搬送路に例えば用紙を搬送制御するためのセンサを配設し、このセンサにて用紙の先端や後端エッジを検出することで用紙の通過位置を把握し、用紙に対して所定の搬送制御を行う方式が通常採用されている。
【０００３】
【発明が解決しようとする課題】
しかしながら、パンチ孔付き用紙を使用する態様において、例えば搬送制御用センサ部分に用紙のパンチ孔が通過すると、前記センサが用紙のパンチ孔縁を用紙エッジと誤検出してしまい、用紙の先端あるいは後端がセンサ位置を通過したものと誤って把握し、搬送系駆動モータを誤動作させたり、あるいは、用紙の搬送隔の設定ミスに伴うジャムを発生させるという懸念がある。
このような不具合を解消するには、センサの配置を工夫したり、用紙の搬送方向を変更規制するという手法が考えられる。
【０００４】
ところが、この種のシート処理装置において、最近では後処理装置の多機能化により製本に近い処理が可能になり、例えばパンチユニットによりパンチ孔が開けられた用紙をステープル処理する技術や、表紙や合紙を挿入する技術（例えば特開２０００−７２３２０号公報）や、原稿のパンチ孔を認識し、同じ位置に後処理装置でパンチ孔を開けるという技術（例えば特開平１０−１０８２０号公報）などが提供されつつある。
【０００５】
このような状況下において、パンチ孔が付される用紙が後処理装置内を通過するケースが頻繁に起こり、また、表紙や合紙には、多数のパンチ孔や四角い窓枠開口が設けられていることが多いため、必然的に、用紙の開口部の数も多くなり、また、開口部の位置を任意に設けられることが多い分、開口部の位置を予め特定し難い状況になってきている。
このため、用紙の開口部が搬送制御用センサを過ぎるケースは従前以上に多くなることは避けられず、センサの配置を工夫したり、用紙の搬送方向を変更規制するという手法では、開口部付き用紙の開口部がセンサ部分を過ぎらないように対処することが極めて困難である。
例えば後処理装置としてステープル処理を施す態様にあっては、そもそも後処理装置のステープル処理位置の関係で、画像形成装置から後処理装置への用紙の走行位置が規制されてしまうため、用紙の搬送方向を変更規制しようとしても、用紙の搬送方向を勝手に変更できないという制約もある。
【０００６】
尚、上述した技術的課題は、後処理装置を有するシート処理装置について生ずるものではなく、例えば画像形成装置のみからなるシート処理装置についても、シートの搬送制御に際し同様に生ずるものである。
本発明は、以上の技術的課題を解決するためになされたものであって、開口部付きのシートを処理するに際し、開口部の存在に影響されることなく、シートの搬送制御を安定的に行うことを可能としたシート処理装置を提供する。
【０００７】
【課題を解決するための手段】
すなわち、本発明は、図１に示すように、シート搬送路１中にシート３の搬送位置が検出せしめられるセンサ２を配設し、このセンサ２出力に基づいてシート３を搬送制御するシート処理装置において、開口部４を有するシート３に対し、少なくともセンサ２の位置に対応したシート搬送方向に対する開口部４の大きさを認識する開口部認識手段５と、この開口部認識手段５からの情報に基づいて、シート３の開口部４に対応する位置に配置されたセンサ２の検出結果を開口部４通過の間シート有りと判断するセンサ出力判断手段６と、このセンサ出力判断手段６からの判断に基づいてシート３を搬送制御するシート搬送制御手段７とを備え、前記センサ出力判断手段６が、センサ位置情報を格納したセンサ情報格納部を有し、開口部認識手段からの開口部情報と対比することでシートの開口部に対応する位置に配置されたセンサを割り出すことを特徴とするものである。
【０００８】
このような技術的手段において、シート処理装置には、画像形成装置だけの態様、後処理装置だけの態様、画像形成装置と後処理装置との組合せ態様のいずれをも含む。
また、センサ２にはシートを搬送制御するためにシート３の先端や後端位置などを検出し得るものであれば、光学式センサ、リミットスイッチのような機械式センサ等各種のものを含む。
更に、開口部４を有するシート３の開口部４には、例えばパンチ孔４ａや窓枠開口４ｂなどを含む。
このような開口部付きシート３の代表例としては、シート束の表紙となるカバーシートが挙げられる。
【０００９】
また、開口部認識手段５は、シート３全域について認識する必要はなく、センサ２を過ぎるシート３部分の開口部４について認識できればよいため、少なくともセンサ２の位置に対応したシート搬送方向に対する開口部４の大きさを認識できることを要件とした。
この開口部認識手段５の具体的態様としては、搬送制御用センサ２より上流側に開口部センサを設けることでシート３の開口部４を認識する態様など適宜選定して差し支えないが、シート３の開口部４を正確に認識するという観点からすれば、開口部認識手段５は原稿画像を読み取るスキャナからなり、シート３を読み取ることでシート３の開口部４位置及び大きさを認識することが好ましい。
ここで、原稿画像を読み取るスキャナとしては、シート処理装置にもともと具備したものを兼用するようにしてもよいし、外付けした別途のものを用いるようにしてもよい。尚、開口部認識手段５としてデジタイザを使用し、座標の取り込みにより開口部４を認識するようにしてもよい。
【００１０】
更に、センサ出力判断手段６としては、開口部４に対応した箇所についてシート有りと判断すればよいのであって、必ずしもセンサ２出力自体を変更する必要はない。
また、センサ出力判断手段６としては、センサ２位置が予め決められている態様も考慮し、センサ２位置情報を格納するメモリなどを必須要件にはしていないが、センサ２位置が広範囲に亘って設定されている態様においては、シート３の開口部４に対応する位置に配置されたセンサ２の割り出しを正確に実現することが好ましい。
本発明は、このような観点から、センサ出力判断手段６が、センサ位置情報を格納したセンサ情報格納部を有し、開口部認識手段５からの開口部４情報と対比することでシート３の開口部４に対応する位置に配置されたセンサ２を割り出すようにしたものである。
【００１１】
更に、シート３に画像が転写せしめられる画像形成部を備え、開口部４を有するシート３に対し画像を転写する態様のシート処理装置において、開口部４付きのシート３への画像形成品質を良好に保つという観点からすれば、画像形成部は、シート３の開口部４に対応する画像部位から画像部を消去する画像消去機能を備えていることが好ましい。
この態様によれば、画像形成部の画像転写部位に開口部４付きのシート３が通過するとしても、開口部４を通じて転写部材に画像が転移し、転写部材が汚れるという懸念は有効に回避される。
【００１２】
【発明の実施の形態】
以下、添付図面に示す実施の形態に基づいて本発明を詳細に説明する。
◎実施の形態１
図２は本発明が適用されたシート処理装置の実施の形態１を示す。
同図において、シート処理装置１０は、カラー画像を形成可能な画像形成装置１１と、画像が形成されたシート（例えば用紙）に対し所定の後処理を施す後処理装置１２とを備えたものである。尚、符号１３は後処理装置１２に設けられたジョブ操作部である。
【００１３】
本実施の形態において、画像形成装置１１は、装置本体２０の上部に原稿を読み取るための画像読取りユニット（ＩＩＴ：Image Input Terminalの略）２６を配設すると共に、その上方には画像読取りユニット（ＩＩＴ）２６に原稿を送るための原稿送り装置を配設する一方、装置本体２０の内部に作像モジュール２１を配設し、この作像モジュール２１の下方には多段のシート供給トレイ３１〜３４を配設するほか、装置本体２０の側方に大容量のシート供給ユニット３５を外付け配置すると共に、装置本体２０の側部にマルチ手差しトレイ（ＭＳＩ：Multi Sheet Inserter）３６を開閉自在に配設したものである。
本実施の形態で用いられる作像モジュール２１は、例えば電子写真方式を採用したものであって、各色成分トナー像を形成担持する感光体ドラム２２を配置し、この感光体ドラム２２上の各色成分トナー像を中間転写ベルト２３に順次一次転写させ、例えば二次転写ロールからなる二次転写装置２４にて中間転写ベルト２３上の多重色成分トナー像をシート（例えば用紙）に二次転写させ、定着器２５に導くようにしたものである。
【００１４】
ここで、感光体ドラム２２の周囲には、感光体ドラム２２を帯電する帯電器２２１、感光体ドラム２２上に静電潜像を書き込むレーザ走査装置などの露光装置２２２、各色成分トナーが収容されて感光体ドラム２２上の静電潜像を可視像化する現像装置２２３、感光体ドラム２２上の各色成分トナー像を中間転写ベルト２３上に転写せしめる例えば転写ロールからなる一次転写装置２２４及び感光体ドラム２２上の残留トナーを清掃するクリーナ２２５などの電子写真用デバイスが順次配設されている。
また、中間転写ベルト２３は複数の張架ロールに張架されて循環搬送されるものであり、前記二次転写装置２４が一つの張架ロールをバックアップロールとして対向配置されている。尚、２３１は中間転写ベルト２３を清掃するクリーナである。
【００１５】
更に、本実施の形態において、シート供給トレイ３１〜３４からのシート搬送路４０は、装置本体２０の後処理装置１２の反対側側方から上方に向かい、作像モジュール２１の二次転写部位、定着部位を経て後処理装置１２側へ向かう主搬送路４１と、この主搬送路４１の出口付近の下方側に略Ｙ字状にて設けられ、シートの表裏を反転させて排出する反転搬送路４２と、この反転搬送路４２の一部に連通接続され、表裏を反転したシートを再び作像モジュール２１前の主搬送路４１に戻す戻し搬送路４３とを備えている。
ここで、主搬送路４１の二次転写部位の上流側にはシートを位置決めした後に搬送するレジストロール４４が、二次転写部位の下流側には定着器２５へ搬送する搬送ベルト４５が設けられ、各シート搬送路４０には適宜数の搬送ロール４６が設けられている。
尚、シート供給ユニット３５からのシート送出部分は、シート搬送路４０の主搬送路４１の垂直部分に連通接続されており、一方、ＭＳＩ３６からのシート送出部分は主搬送路４１の水平部分に連通接続されている。
【００１６】
また、本実施の形態において、後処理装置１２は、装置本体５０の側部の上下３箇所に排出トレイ５１〜５３を設ける一方、装置本体５０内部にシートにパンチ孔を開けるパンチユニット６１と、シート束をステープル処理するステープラ６２と、表紙を挿入するためのインタポーザ６３と、後処理を施したシートを例えば排出トレイ５２，５３に排出すべく適宜上下動するインデクサ６４とを配設したものである。
そして、装置本体５０内部には、画像形成装置１１側のシート排出口に連通するシート搬送路７０が設けられており、このシート搬送路７０は、略逆Ｕ字状に延びる第一搬送路７１と、この第一搬送路７１の途中から分岐して最上段の排出トレイ５１へとシートを搬送する第二搬送路７２とを備え、更に、インタポーザ６３からは第一搬送路７１に向かって延びる挿入搬送路７３を設けたものである。
特に、本例では、第一搬送路７１の入口寄り垂直部分の途中にパンチユニット６１が配設されており、また、第一搬送路７１の出口寄り垂直部分に沿ってインデクサ６４が上下動自在に配設されている。
尚、シート搬送路７０には適宜数の搬送ロール７４が配設されている。
【００１７】
ここで、本実施の形態で用いられるインタポーザ６３は、装置本体５０に対して斜め方向に傾斜配置されており、表紙などのシートを収容するトレイ６３１を有し、このトレイ６３１内のシートをフィードロール６３２にて送出するようになっている。
尚、本例では、インタポーザ６３の上面に排出トレイ５１が設けられている。一方、本実施の形態で用いられるインデクサ６４は、第一搬送路７１の出口寄り垂直部分に分岐形成された多数の搬入路７１ａと、排出トレイ５２，５３との間のスペースに上下動自在に装備されており、シートが集積されるステージ６４１の近傍にステープラ６２を搭載したもので、ステージ６４１上に集積した複数枚のシートをステープラ６２にてステープル処理して搬出する第一動作モード（ステープリングスタックモード）と、シートを単純に一枚ずつ搬出する第二動作モード（単純スタックモード）とについて設定可能である。
【００１８】
また、本実施の形態においては、シート搬送路４０，７０には、シートを搬送制御するためのセンサＳ1〜Ｓ18が設けられており、これらのセンサＳ1〜Ｓ18出力は図示外の制御装置に取り込まれ、シートに対して所定の搬送制御が行われるようになっている。
特に、本実施の形態では、制御装置は、図２及び図５に示すように、各センサＳ1〜Ｓ18（Ｓ1：T/A[Take Away] Snr[Senserの略，以下同様]，Ｓ2：Pre Regi Snr，Ｓ3：Regi Snr,Ｓ4：V-Tra[Vacuum Tansport] Snr，Ｓ5：Fuser Exit Snr，Ｓ6：Exit Snr，Ｓ7：Inv In Snr［Inverter In Snr］，Ｓ8：Inv Out Snr[Inverter Out Snr]，Ｓ9：Dup Path Snr[Duplex Path Snr]，Ｓ10：Transport In Snr，Ｓ11：Transport Snr，Ｓ12：Transport Out Snr，Ｓ13：Finisher In Snr，Ｓ14：インデクサ In Snr，Ｓ15：インデクサ Exit Snr，Ｓ16：インサータ Path1 Snr，Ｓ17：インサータ Path2 Snr，Ｓ18：Exit Snr）のシート端部からの位置（ａ〜ｉ）、搬送速度（ｖ1〜ｖ6）に関する情報を図示外のメモリに格納している。
そして、本実施の形態において、制御装置は、図４に示す流れに従って孔開きシートに対する処理を行うようになっている。尚、詳細については後述する。
【００１９】
更に、本実施の形態において、画像読取りユニット（ＩＩＴ）２６は、図２及び図３に示すように、原稿が載置されるプラテン２６１を有し、このプラテン２６１の下方には原稿面が光学的に読み取られるスキャナ２６２を配設し、スキャナ２６２にて読み取った原稿像をＣＣＤなどの原稿読取り素子２６３に取り込むようにしたものである。
このような画像読取りユニット（ＩＩＴ）２６は、通常のコピー動作モードにてプラテン２６１上の原稿を読み取るほか、例えば孔開きシート（用紙）Ｓの開口部１００（例えばパンチ孔１０１，矩形状の窓枠開口１０２）の位置及び大きさを読み取るものである。尚、図３において、シートＳのセット方向はＭＳＩ３６やインタポーザ６３にセットするシートＳの向きを示し、シートＳの搬送方向に相当する。
本例では、画像読取りユニット（ＩＩＴ）２６は、例えば図３に示すように、シートＳの基準縁から開口部１００縁までの距離ｄ1〜ｄ5やシートの搬送方向（シートのセット方向に相当）における開口部１００の大きさｍ１〜ｍ２を読み取り、開口部１００の位置及び大きさを認識するようになっている。
【００２０】
次に、本実施の形態に係るシート処理装置のシート処理内容について説明する。
今、シート処理として、例えばシート束を表紙付きで製本する場合を想定すると、例えば表表紙を後処理装置１２のインタポーザ６３へ、裏表紙をＭＳＩ３６へセットし、シート束については画像形成装置１１にて所定のコピー処理を行い、後処理装置１２にてパンチ処理、表紙挿入処理、ステープル処理を行うようにすればよい。
より具体的に述べると、図４に示すように、先ず、後処理装置１２の上部にあるジョブ操作部１３にてコピーモードを選択し、かつ、ステープル処理の有無を選択する。
例えば、印刷された四角い開口部の開いたシートを表表紙として、原稿３０枚のコピーシートを入れ、印刷された裏表紙をつけて２箇所のステイプルを３０部作成するジョブを指定する。
このとき、表表紙は後処理装置１２のインタポーザ６３へ、裏表紙はＭＳＩ３６へセットする。
【００２１】
そして、ジョブ操作部１３で表紙に使用するトレイを聞いてくるので、表紙を使用するモードを選定するのであれば、インタポーザ６３とＭＳＩ３６を選択する。また、表紙間のシートついてはシート供給トレイ３１を選択する。
この後、ジョブ操作部１３で表紙のトレイを選択すると、シートの開口部の有無を聞いてくるので、孔開きシートを使用するモードを選定するのであれば開口部有りを選択する。
すると、ジョブ操作部１３には、ＩＩＴ２６へシートをセットするメッセージ或いはイメージが表示され、これに基づいて、操作者はＩＩＴ２６に孔開きシートＳをセットし、図３に示すように、シートＳの開口部１００（パンチ孔１０１，窓枠開口１０２）の読み取り処理が行われる。
【００２２】
この段階において、制御装置は、シートＳの孔開き形状、大きさ、位置を認識するため、後処理装置１２のインタポーザ６３からのシート搬送前に、シートの開口部の読み取り情報と、メモリに記憶された各センサＳ1〜Ｓ18の位置情報とを比較し、シート搬送路４０，７０において、シートＳの開口部１００（図３参照）が過ぎる該当するセンサＳi（i＝1〜18のいずれか）を割り出し、センサＳiの検出結果にフィルタをかけるタイミング数値を算出する。
例えばインタポーザ６３からのシート搬送路７０（挿入搬送路７３，第一搬送路７１）において、例えばセンサＳ16（インサータ Path1 Snr）、センサＳ17（インサータ Path2 Snr）が図３に示すシートＳの開口部１００のうち、窓枠開口１０２部分のみを過ぎる位置にあるセンサＳiであり、また、例えばセンサＳ14（インデクサ In Snr）がシートＳの開口部１００のうち、パンチ孔１０１及び窓枠開口１０２の両者を過ぎる位置にあるセンサＳiであるとする。
すると、仮に、本件の孔開きシートＳを通過させた場合には、各センサＳ14，Ｓ16，Ｓ17の検出出力は図６のように得られる（パンチ孔１０１や窓枠開口１０２等の開口部１００に対してローレベルに変化）と想定されるが、このとき、制御装置は、図６のような検出出力に対し、パンチ孔１０１や窓枠開口１０２などの開口部１００に対応する部分（図６中網点で示す）を把握することが可能であるため、当該開口部１００に対応した部分に合わせたタイミングでフィルタ（図６中斜線）をかけるように処理する。
【００２３】
この段階において、コピーモードがスタートすることになり、一連のシート処理が行われる。
このとき、後処理装置１２のインタポーザ６３からは、表表紙としての孔開きシートが搬送され、例えばセンサＳ14，Ｓ16，Ｓ17からは図６に示すように検出出力が変化するが、上述したソフトウエアの処理で開口部に対応した出力部分にフィルタがかけられるため、制御装置は、シートの開口部に対応した部分に対しシート有りの判断を行い、所定の間隔で、孔開きシートである表表紙をインデクサ６４部分へ確実に搬送する。
【００２４】
この後、画像形成装置１１で画像形成された所定枚数のコピーシートに対し、パンチユニット６１にてパンチ処理を施した後、インデクサ６４に向けて搬送する。
更に、ＭＳＩ３６から裏表紙をインデクサ６４に向けて搬送する。
この段階において、ステープラ６２にてステープル処理を行った後、所定の排出トレイ５２又は５３に製本されたシート束を排出する。
尚、コピーシートがパンチ処理された後や、パンチ孔付きの裏表紙を搬送する場合に、コピーシートや裏表紙のパンチ孔部分が所定のセンサを過ぎるとしても、パンチ孔部分について、制御装置にて同様なソフトウエア処理を施すようにすれば、コピーシートや裏表紙の搬送制御を正確に実現することは可能である。
【００２５】
本実施の形態においては、後処理装置１２に孔開きシートをセットした場合を例に挙げて説明したが、ＭＳＩ３６若しくはシート供給トレイ３１〜３４若しくはシート供給ユニット３５に孔開きシートをセットする場合も同様に対処することができる。
但し、二次転写装置２４として二次転写ロールを使用した場合に、二次転写部位に孔開きシートをそのまま通過させて二次転写を行うと、孔開きシートの開口部を通じて画像が二次転写ロールに転移してしまい、シートの裏面を汚してしまう虞れがある。
そこで、孔開きシートに対して画像転写を行う態様にあっては、図７に示すように、孔開きシートの開口部形状と画像とを比較し、画像の一部が開口部に相当すると判断される条件下では、感光体ドラム２２上に形成される画像Ｇの中でシートの開口部に相当する画像部分Ｇ0を消去するように、露光装置２２２の書込位置を制御することで、二次転写部での汚れや無駄なトナー消費を防ぐことができる。
【００２６】
◎実施の形態２
図８は本発明が適用されたシート処理装置の実施の形態２の要部を示す。
同図において、シート処理装置の基本的構成は、実施の形態１と略同様な画像形成装置１１と後処理装置１２とを組み合わせたものであるが、孔開きシートの開口部を認識する手法が実施の形態１と異なる。尚、実施の形態１と同様な構成要素については実施の形態１と同様な符号を付してここではその詳細な説明を省略する。
【００２７】
本実施の形態において、インタポーザ６３からインデクサ６４に向かうシート搬送路７０（挿入搬送路７３，第一搬送路７１）を例に挙げて、孔開きシートの開口部を認識する手法について説明する。
今、図８及び図９に示すように、シート搬送路７０において、例えばセンサＳ16（インサータ Path1 Snr）とセンサＳ17（インサータ Path2 Snr）とがシート搬送方向に直交するシート幅方向位置を同じにし、これらに対し、センサＳ14（インデクサ In Snr）がシートガイド１１０寄りに偏位配置されているとする。
【００２８】
そして、本実施の形態では、シート搬送路７０のうち、各センサＳ14，Ｓ16，Ｓ17よりもシート搬送方向上流側、具体的には、インタポーザ６３のフィードロール６３２の直後に二つの開口部センサ１２０（具体的にはＳ21:開口部Snr1，Ｓ22：開口部Snr2）が配設されている。
これらの開口部センサ１２０は、シート搬送方向に対して同じ位置に配置されており、一方の開口部センサ１２０（Ｓ21）はセンサＳ16，Ｓ17とシート幅方向位置を同じにし、他方の開口部センサ１２０（Ｓ22）はセンサＳ14とシート幅方向位置を同じに設定されている。
そして、これらの開口部センサ１２０の検出出力は、図示外の制御装置に取り込まれ、この制御装置は、例えば図１０に示す流れに従って孔開きシートに対する処理を行うようになっている。
【００２９】
ここで、孔開きシートに対する処理について述べると、例えば実施の形態１と同様にシート束を表紙付きで製本する場合を想定し、例えば表表紙として孔開きシートを後処理装置１２のインタポーザ６３へセットし、また、裏表紙をＭＳＩ３６にセットするものと仮定する。
今、図１０に示すように、先ず、後処理装置１２の上部にあるジョブ操作部１３にてコピーモードを選択し、かつ、ステープル処理の有無を選択する。
この後、ジョブ操作部１３で表紙に使用するトレイを聞いてくるので、表紙を使用するモードを選定するのであれば、インタポーザ６３とＭＳＩ３６を選択する。また、表紙間のシートついては例えばシート供給トレイ３１を選択する。
【００３０】
この状態において、コピーモードがスタートし、例えばインタポーザ６３から表表紙としての孔開きシートの供給動作が開始されると、孔開きシートの開口部が先ず開口部センサ１２０（Ｓ21，Ｓ22）を過ぎる。
このとき、開口部センサ１２０は、図１１に示すように、パンチ孔や窓枠開口などの開口部（図中網点で示す）に対してローレベルになるように変化する。
そして、制御装置は、この開口部センサ１２０（Ｓ21，Ｓ22）の出力結果から、シート搬送方向に対する開口部の大きさを認識する。
この後、孔開きシートの開口部がセンサＳ14，Ｓ16，Ｓ17を過ぎると、各センサＳ14，Ｓ16，Ｓ17は、図１１に示すように、パンチ孔や窓枠開口などの開口部（図中網点で示す）に対してローレベルになるように変化するが、制御装置は、認識している開口部に対応した部分にフィルタ（図中斜線で示す）をかけ、シートの開口部に対応した部分に対しシート有りの判断を行い、所定の間隔で、孔開きシートである表表紙をインデクサ６４部分へ確実に搬送する。
【００３１】
この後、実施の形態１と同様に、画像形成装置１１で画像形成された所定枚数のコピーシートに対し、パンチユニット６１にてパンチ処理を施した後、インデクサ６４に向けて搬送する。
更に、ＭＳＩ３６から裏表紙をインデクサ６４に向けて搬送する。
この段階において、ステープラ６２にてステープル処理を行った後、所定の排出トレイ５２又は５３に製本されたシート束を排出する。
尚、本実施の形態にあっては、シート搬送路４０，７０の他の部分にも適宜開口部センサが配設されており、搬送制御用の各センサの検出出力に対し開口部に対応したフィルタをかけることで、孔開きシートに対する搬送制御が安定的に行われるようになっている。
【００３２】
【発明の効果】
以上説明してきたように、本発明によれば、パンチ孔や窓枠開口などの開口部を有するシートを処理する際に、シート搬送路中の搬送制御用センサ部分を過ぎるシートの開口部を認識し、この認識情報に基づいて搬送制御用センサ出力の開口部に相当する部分をシート有りと判断することで、シートの搬送制御を行うようにしたので、開口部付きのシートを処理する上で、開口部の存在に影響されることなく、シートの搬送制御を安定的に行うことができる。
特に、本発明では、センサ出力判断手段が、センサ位置情報を格納したセンサ情報格納部を有し、開口部認識手段からの開口部情報と対比することでシートの開口部に対応する位置に配置されたセンサを割り出すようにしたので、シートの開口部に対応する位置のセンサの割り出しを正確に実現でき、その分、開口部付きのシートの搬送制御を正確に行うことができる。
【図面の簡単な説明】
【図１】  本発明に係るシート処理装置の概要を示す説明図である。
【図２】  本発明が適用されるシート処理装置の実施の形態１の全体構成を示す説明図である。
【図３】  本実施の形態で用いられるシートの開口部の認識方式を示す説明図である。
【図４】  本実施の形態で用いられるシートの処理内容を示すフローチャートである。
【図５】  本実施の形態で用いられる各種センサの位置、シートの搬送速度に関する情報の一例を示す説明図である。
【図６】  図４の処理過程を模式的に示す説明図である。
【図７】  実施の形態に係るシート処理装置の変形形態で用いられる画像書込方式を示す説明図である。
【図８】  本発明が適用されるシート処理装置の実施の形態２の要部を示す説明図である。
【図９】  図８の用紙搬送パスを矢印ＩＸ方向から見て展開した状態を示す模式図である。
【図１０】  本実施の形態で用いられるシートの処理内容を示すフローチャートである。
【図１１】  図１０の処理過程を模式的に示す説明図である。
【符号の説明】
１…シート搬送路，２…センサ，３…シート，４（４ａ，４ｂ）…開口部，５…開口部認識手段，６…センサ出力判断手段，７…シート搬送制御手段
【図１】
0003944688.tif 000002
【図２】
0003944688.tif 000003
【図３】
0003944688.tif 000004
【図４】
0003944688.tif 000005
【図５】
0003944688.tif 000006
【図６】
0003944688.tif 000007
【図７】
0003944688.tif 000008
【図８】
0003944688.tif 000009
【図９】
0003944688.tif 000010
【図１０】
0003944688.tif 000011
【図１１】
0003944688.tif 000012